(57)【要約】【課題】管理人用スイッチと保守点検用スイッチを実質的に分離して管理人による各操作スイッチの誤操作を防止することができるエレベータ用かご操作盤を得る。【解決手段】鍵にて施錠される開き戸４内に保守点検用スイッチ６ｌ〜６ｑが実装されたエレベータ用かご操作盤であって、フェースプレート１盤面に設けられ、管理人の操作に関連したモードでは挿入された管理人専用キーを一方向のみに回転し、保守点検に関連したモードでは挿入された保守点検用作業者専用キーを双方向に回転するキースイッチ７を備え、このキースイッチは第１のモードでは管理人専用キーを一方向に回転することで管理人用スイッチとして機能し、第２のモードでは保守点検用作業者専用キーを他方向に回転して開き戸を開き、この開き戸内の保守点検用スイッチを操作可能とする。【選択図】　　　　図１
2004137010.tif 000002
【特許請求の範囲】
【請求項１】
開き戸内に保守点検用スイッチが実装されたエレベータ用かご操作盤であって、前記開き戸のフェースプレート面にキースイッチを備え、前記キースイッチは、管理操作のための第１のキーが、挿入位置から管理操作に対応したノッチ位置に回転し、保守点検のための第２のキーが、挿入位置から開き戸の開錠位置に回転するように構成されたことを特徴とするエレベータ用かご操作盤。
【請求項２】
前記キースイッチは、前記第１のキーが、挿入位置から管理操作に対応したノッチ位置に一方向のみに回転し、前記第２のキーが、挿入位置から前記開き戸の開錠位置に逆方向に回転するように構成されたことを特徴とする請求項１に記載のエレベータ用かご操作盤。
【請求項３】
前記キースイッチは、前記第２のキーが、挿入位置から管理操作に対応したノッチ位置にも回転するように構成されたことを特徴とする請求項１又は２に記載のエレベータ用かご操作盤。
【請求項４】
前記開き戸のフェースプレート面に、前記第１のキーのノッチ位置に対応した運転モードを表示する表示手段を設けたことを特徴とする請求項１〜３のいずれかに記載のエレベータ用かご操作盤。
【請求項５】
前記表示手段として、各ノッチ位置の近傍に表示ランプを設けたことを特徴とする請求項４に記載のエレベータ用かご操作盤。
【発明の詳細な説明】
【０００１】
【発明の属する技術分野】
この発明は、エレベータ用かご操作盤に関するものであり、特に、かご操作盤に実装された保守点検用および管理人用の各スイッチに関するものである。
【０００２】
【従来の技術】
一般に、鍵にて施錠された開き戸内には、保守点検用スイッチと管理人用スイッチが近接して実装されているため、管理人が誤って保守点検用スイッチに触れてかご内に閉じ込められたりして、エレベータの運転効率を著しく低下させるなどの課題があった。
このような課題を解決しようとする従来のエレベータ用かご操作盤に関連するものとして、保守点検用スイッチと管理人用スイッチとに対応して表示灯を設けたものがある（例えば、特許文献１参照）。
【０００３】
【特許文献１】
特開平５−３０１６８６号公報
【０００４】
図４は、従来のエレベータ用かご操作盤の一例を示す正面図である。図において、１はエレベータかご操作盤の表面に設けられたフェースプレート、２はフェースプレート１に設けられたエレベータかごの複数の行先ボタン、３はエレベータかご操作盤に組み込まれているスイッチボックス、４は開き戸であって、ここでは開き戸４を開いた状態を示している。通常、スイッチボックス３の表面は開き戸４で覆われており、一般の乗客が複数の操作スイッチ６ａ〜６ｍに触れないようにしている。５はスイッチボックス３の操作スイッチ６ａ〜６ｍの上付近に配設された動作表示灯である。
【０００５】
このように、従来のエレベータ用かご操作盤では、スイッチボックス３に複数の操作スイッチ６ａ〜６ｍが近接して実装されている。この操作スイッチ６ａ〜６ｍは、保守点検作業時に保守点検作業者が操作する保守点検用スイッチと管理人が操作する管理人用スイッチとに別れている。動作表示灯５は操作スイッチ６ａ〜６ｍの作動状態に応じて、エレベータの動作状態を表示する。
【０００６】
【発明が解決しようとする課題】
ところで、上記のような従来のエレベータ用かご操作盤では、各操作スイッチが近接しているために、管理人等が誤って保守点検用スイッチを操作し、動作表示灯が変化してもその変化に気づかないと、円滑なエレベータの運転が阻害されることがあった。特に、管理人がかご内に閉じ込められた場合には、保守点検の担当技術者がわざわざ出向く必要があった。
【０００７】
この発明は、上記のような問題点を解消するためになされたものであり、管理人用スイッチと保守点検用スイッチを分離し、管理人による誤操作を防止することができるエレベータ用かご操作盤を提供することを目的とする。
【０００８】
【課題を解決するための手段】
この発明に係るエレベータ用かご操作盤は、開き戸内に保守点検用スイッチが実装されたエレベータ用かご操作盤であって、前記開き戸のフェースプレート面にキースイッチを備え、前記キースイッチは、管理操作のための第１のキーが、挿入位置から管理操作に対応したノッチ位置に回転し、保守点検のための第２のキーが、挿入位置から開き戸の開錠位置に回転するように構成されたものである。
【０００９】
また、この発明に係るエレベータ用かご操作盤では、前記キースイッチは、前記第１のキーが、挿入位置から管理操作に対応したノッチ位置に一方向のみに回転し、前記第２のキーが、挿入位置から前記開き戸の開錠位置に逆方向に回転するように構成されたものである。
【００１０】
また、この発明に係るエレベータ用かご操作盤では、前記キースイッチは、前記第２のキーが、挿入位置から管理操作に対応したノッチ位置にも回転するように構成されたものである。
【００１１】
また、この発明に係るエレベータ用かご操作盤は、前記開き戸のフェースプレート面に、前記第１のキーのノッチ位置に対応した運転モードを表示する表示手段を設けたものである。
【００１２】
また、この発明に係るエレベータ用かご操作盤は、前記表示手段として、各ノッチ位置の近傍に表示ランプを設けたものである。
【００１３】
【発明の実施の形態】
以下、この発明の実施の形態を、図に基づいて説明する。
実施の形態１．
図１は、この発明の実施の形態１によるエレベータ用かご操作盤を示す正面図である。
図において、１はエレベータかご操作盤の表面に設けられたフェースプレート、２はフェースプレート１に設けられたエレベータかごの複数の行先ボタン、３はエレベータかご操作盤に組み込まれているスイッチボックス、４は開き戸であって、ここでは開き戸４を閉じ、一部破断した状態を示している。通常、スイッチボックス３の表面は開き戸４で覆われており、管理人を始め、一般の乗客が保守点検用スイッチ６ｌ〜６ｑに触れないようにしている。本実施の形態では、スイッチボックス３内には、保守点検作業時に保守点検作業者が操作する保守点検用スイッチ６ｌ〜６ｑのみが実装されている。
【００１４】
７はフェースプレート１の盤面の開き戸４の部分に設けられたキースイッチである。このキースイッチ７は、管理人の操作の場合には、挿入された第１のキーとしての管理人専用キーを一方向のみに回転して管理人用スイッチとして機能させる。また、キースイッチ７は、保守点検の操作の場合には、挿入された第２のキーとしての保守点検作業者専用キーを管理人専用キーとは反対方向に回転して保守点検作業者専用キーとして機能させ、開き戸４を開き、この開き戸４内の保守点検用スイッチ６ｌ〜６ｑを操作可能とする。また、所望により、キースイッチ７は、保守点検要の第２のキーを、第１のキーと同様の方向にも回転させられるように機能する。
【００１５】
図２は、キースイッチの詳細を示す図である。
図において、７ａ〜７ｇはキースイッチ７の各ノッチ位置ア〜カおよび開錠位置、８ａは管理人が操作可能なキーの回転方向、８ｂは開き戸４を開放するためのキーの回転方向である。例えば、キースイッチ７のノッチ位置アの位置を休止、ノッチ位置イの位置を運転、ノッチ位置ウの位置を照明、ノッチ位置エの位置をファンとすると、管理人は、管理人専用キーをキースイッチ７に挿入し、回転方向８ａにキーを回転させ、ノッチ位置イの位置で停止させると、エレベータが休止状態から運転状態になる。更に、キーをノッチ位置ウの位置まで回転させると、かご内の照明が点灯する。また、さらにキーをノッチ位置エの位置まで回転すると、かご内のファンが動作する。
【００１６】
このように管理人は、管理人専用キーにてキースイッチ７を操作することにより、エレベータの所定の操作を実施することができる。尚、管理人専用キーでは、キーの回転方向が回転方向８ａの方向にのみ限定し、キーを回転方向８ｂに回転させて開き戸４を開放することができない。
【００１７】
一方、保守点検作業者は、保守点検作業者専用キーにて、キーを回転方向８ｂに回転させて開き戸４を開放し、所定の保守点検用スイッチを操作するものである。
また、保守点検作業者専用キーは、必要に応じて、キーの回転方向が回転方向８ａ、８ｂの双方向に回転可能と構成されていてもよく、従って、その場合には、回転角によって投入接点が変化するキースイッチ７とスイッチボックス３の施錠用回転キーを実質的に合体させた機能を有するものである。
【００１８】
このようにして、本実施の形態では、管理人が操作する管理人用スイッチは、フェースプレート面上に実装したキースイッチにおいて、挿入位置から管理操作に対応したノッチ位置に回転可能とされ、管理のためのエレベータ操作が可能とされる。
一方、保守点検作業者が操作する保守点検用スイッチは、同一キースイッチでありながら異なったキーでしか開錠しない開き戸内のスイッチボックスに実装される。このようにすることにより、管理人用スイッチと保守点検用スイッチを分離し、管理人による誤操作を防止することができ、円滑なエレベータの運転が可能になり、管理人がかご内に閉じ込められて、保守点検の担当技術者がわざわざ出向く等の必要もなくなる。
【００１９】
実施の形態２．
図３は、この発明の実施の形態２によるエレベータ用かご操作盤におけるキースイッチの詳細を示す図である。なお、図３において、図２と同一部分には同一符号を付し、その詳細説明を省略する。
図において、９ａ〜９ｅはキースイッチ７の各ノッチ位置に対応した運転モードになったことを知らせる表示手段としての表示灯であり、この表示灯９ａ〜９ｅは、図１には示していないが、例えば図１のキースイッチ７の周囲に、所定角度の間隔で設けられている。
【００２０】
管理人が管理人専用キーをキースイッチ７に挿入し、キーを回転方向８ａに回転させ、ノッチ位置イの位置で停止させると、エレベータが運転状態になる。このとき表示灯９ａを点灯させることにより、管理人に対して、エレベータが運転状態になったことを知らせるものである。さらに、キーを回転方向８ａの方向に回転させ、ノッチ位置ウの位置で停止させると、表示灯９ｂが点灯してかご内の照明が点灯したことを知らせる。またさらに、キーを回転させノッチ位置エの位置で停止させると、表示灯９ｃが点灯してかご内のファンが動作したことを知らせる。このように管理人が管理人専用キーを回転方向８ａの方向に回転させ、所定の機能が動作状態になると、各表示灯９ａ〜９ｃを点灯させ、動作状態を管理人に知らせることができる。
【００２１】
このようにして、本実施の形態では、管理人が管理人専用キーにてキーを回転方向８ａの方向に回転させ、所定の機能が動作状態となると、各表示灯を点灯させ、キースイッチの動作状態を管理人に知らせることができ、管理人による各操作スイッチの誤操作の防止に役立つ。
【００２２】
【発明の効果】
以上説明したように、この発明によれば、開き戸内に保守点検用スイッチが実装されたエレベータ用かご操作盤であって、フェースプレート面に設けられ、管理人の操作に関連したモードでは挿入された第１のキーを一方向のみに回転し、保守点検に関連したモードでは挿入された第２のキーを開錠位置に回転するキースイッチを備えたので、管理人による各操作スイッチの誤操作を防止することができるという効果がある。
【００２３】
また、この発明によれば、上記キースイッチが、上記第１のキーを一方向に回転することで管理人用スイッチとして機能し、上記第２のキーを他方向に回転して上記開き戸を開き、該開き戸内の上記保守点検用スイッチを操作可能とするので、管理人用スイッチと保守点検用スイッチが分離されて、管理人による各操作スイッチの誤操作を確実に防止することができるという効果がある。
【００２４】
また、この発明によれば、上記第１のキーが管理人専用キーであり、上記第２のキーが保守点検用作業者専用キーであるので、キースイッチに挿入される各キーの回転方向を所定方向に確実に作動でき、管理人による各操作スイッチの誤操作の防止に寄与できるという効果がある。
【００２５】
また、この発明によれば、上記キースイッチの各操作位置の近傍に、該キースイッチの動作状態を表す表示手段を設けたので、管理人による各操作スイッチの誤操作の防止に寄与できるという効果がある。
【００２６】
また、この発明によれば、上記表示手段が、上記管理人専用キーの操作位置に対応して上記キースイッチが動作したときに作動して該キースイッチの動作状態を表示するので、斯かるキースイッチの動作状態を即座に管理人に知らせることができ、管理人による各操作スイッチの誤操作の防止に寄与できるという効果がある。
【図面の簡単な説明】
【図１】この発明の実施の形態１によるエレベータ用かご操作盤を示す正面図である。
【図２】この発明の実施の形態１によるエレベータ用かご操作盤におけるキースイッチの詳細を示す図である。
【図３】この発明の実施の形態２によるエレベータ用かご操作盤におけるキースイッチの詳細を示す図である。
【図４】従来のエレベータ用かご操作盤を示す正面図である。
【符号の説明】
１　フェースプレート、　２　行先ボタン、　３　スイッチボックス、　４　開き戸、　６ｌ〜６ｑ　保守点検用スイッチ、　７　キースイッチ、　７ａ〜７ｇ　キースイッチの各ノッチ位置ア〜カおよび開錠位置、　８ａ　管理人が操作可能なキーの回転方向、　８ｂ　開き戸を開放するためのキーの回転方向、　９ａ〜９ｅ　表示灯。
【図１】
2004137010.tif 000003
【図２】
2004137010.tif 000004
【図３】
2004137010.tif 000005
【図４】
2004137010.tif 000006